(57)【要約】【課題】土地の面積や形状に制限がある場合でも、その土地に見合った津波避難用建造物を、広い避難スペースを確保しつつ容易に構築できるようにする。【解決手段】津波避難用建造物１は、地面Ｇに立設された複数本の支柱Ｐ１〜Ｐ１０と、これらの支柱に支持された避難ステージ１２、２２と、地面Ｇと避難ステージ１２、２２との間を結ぶスロープ１３、２３とを備えている。櫓ユニット１００、２００を構成する避難ステージ１２、２２は、平面視で舟形の６角形に形成されていて、隣接する櫓ユニット１００、２００は、６角形の１辺で連結されている。スロープ１３、２３の床材は、透水性のある格子状のグレーチング材から形成され、地面Ｇから最上階の避難ステージ１２、２２に至るまで、連結された櫓ユニット１００、２００の外周を取り囲むように、支柱Ｐ１〜Ｐ１０の外側に緩やかな勾配で螺旋状に設けられる。【選択図】図１
2014227801.tif 000002
【特許請求の範囲】
【請求項１】
地面に立設された複数本の支柱と、これらの支柱に支持された避難ステージと、地面と避難ステージとの間を結ぶ昇降手段とを備えた津波避難用建造物において、
前記支柱と前記避難ステージによって櫓ユニットが構成され、
前記櫓ユニットは複数設けられており、１つの櫓ユニットを構成する避難ステージは、平面視で多角形に形成されていて、当該多角形の頂点で前記支柱に支持されており、
隣接する櫓ユニットは、それぞれの避難ステージの多角形の１辺で連結されており、
前記昇降手段は、透水性のある床材を用いたスロープからなり、
前記スロープは、両側に安全柵が設けられていて、地面から最上階の避難ステージに至るまで、連結された複数の櫓ユニットの外周を取り囲むように、前記支柱の外側に所定の勾配で螺旋状に設けられている、ことを特徴とする津波避難用建造物。
【請求項２】
請求項１に記載の津波避難用建造物において、
前記避難ステージの床材と前記スロープの床材は、それぞれ格子状のグレーチング材から形成されている、ことを特徴とする津波避難用建造物。
【請求項３】
請求項１または請求項２に記載の津波避難用建造物において、
前記スロープの勾配は、１／８以上で１／１２以下の値である、ことを特徴とする津波避難用建造物。
【請求項４】
請求項１ないし請求項３のいずれかに記載の津波避難用建造物において、
前記昇降手段は、前記スロープに加えて、当該スロープよりも勾配が急な階段をさらに含み、
前記階段は、前記支柱の内側に設けられている、ことを特徴とする津波避難用建造物。
【請求項５】
請求項４に記載の津波避難用建造物において、
前記スロープは、前記最上階の避難ステージへ至るまでに、少なくとも一箇所で前記階段の踊り場とつながっていて、前記スロープから前記階段へ進入できるようになっている、ことを特徴とする津波避難用建造物。
【請求項６】
請求項１ないし請求項５のいずれかに記載の津波避難用建造物において、
前記避難ステージは、平面視で、対向する２辺が他の辺よりも短い舟形の６角形に形成されている、ことを特徴とする津波避難用建造物。
【請求項７】
請求項１ないし請求項５のいずれかに記載の津波避難用建造物において、
前記避難ステージは、平面視で、対向する２辺が他の辺よりも短い舟形の８角形に形成されている、ことを特徴とする津波避難用建造物。
【請求項８】
請求項６または請求項７に記載の津波避難用建造物において、
前記避難ステージは、前記対向する短い２辺が津波の襲来方向と直交するように、前記支柱に支持されている、ことを特徴とする津波避難用建造物。
【発明の詳細な説明】
【技術分野】
【０００１】
本発明は、地震の発生に伴って襲来する津波に対して、安全な避難場所を提供する津波避難用建造物に関する。
【背景技術】
【０００２】
地震発生後に津波警報が出された場合、海岸から離れた高い場所へ一刻も早く避難することが緊要である。従来は、既存の公共施設や高層建築物などが避難場所として指定され、津波警報発令時にはそこへ避難するようになっていた。しかし、平成２３年３月に発生した東北地方太平洋沖地震（東日本大震災）の津波のような、建物の屋上まで呑み込む巨大津波が襲来した場合、既存の避難場所の安全性は万全とは言えない。また、避難場所が遠く離れていて、津波が到来するまでに避難が間に合わないと、逃げ遅れて津波に呑みこまれてしまうことになる。さらに、高齢者や身体障害者の場合は、避難に時間を要したり、自力での避難が困難であるという事情がある。
【０００３】
そこで、既存の公共施設や高層建築物とは別に、津波から身を守るための安全性の高い避難用建造物を新たに設置する取り組みが、自治体を中心に進められている。このような津波避難用建造物に関しては、これまでにも種々のものが提案されている。例えば、後掲の特許文献１〜５には、地面に立設された複数本の支柱と、これらの支柱の上部に設けられた避難ステージと、地面と避難ステージとの間を結ぶ階段やスロープ等の昇降手段とを備えた津波避難用建造物が記載されている。
【０００４】
これらの特許文献で提案されている津波避難用建造物は、支柱と避難ステージと昇降手段という基本構造からなり、地面から昇降手段（階段、スロープ等）を通って最上階の避難ステージへ避難することにより、津波の襲来に対して安全な場所を確保するものである。
【先行技術文献】
【特許文献】
【０００５】
【特許文献１】特開２００８−１４０１６号公報
【特許文献２】特開２００６−８３５４９号公報
【特許文献３】特開２００６−１７７１３８号公報
【特許文献４】特開２００６−１１２０８７号公報
【特許文献５】実用新案登録第３１６９２３１号公報
【発明の概要】
【発明が解決しようとする課題】
【０００６】
津波避難用建造物の避難ステージの面積を広げることで、より多くの者が避難することができる。しかしながら、津波避難用建造物の設置にあたっては、土地の面積や形状による制限を受ける場合がある。周囲に広い土地が確保できる場合は問題ないが、土地によっては、限られた面積、限られた形状の敷地に、津波避難用建造物の設置を余儀なくされることもある。このような場合は、その土地の事情を考慮した上で、限られた面積・形状で如何にして多数の避難者の避難スペースを確保するかが課題となる。
【０００７】
本発明は、土地の面積や形状に制限がある場合でも、その土地に見合った津波避難用建造物を、広い避難スペースを確保しつつ容易に構築できるようにすることを目的としている。
【課題を解決するための手段】
【０００８】
本発明に係る津波避難用建造物は、地面に立設された複数本の支柱と、これらの支柱に支持された避難ステージと、地面と避難ステージとの間を結ぶ昇降手段とを備えた津波避難用建造物であって、支柱と避難ステージによって櫓ユニットが構成される。櫓ユニットは複数設けられており、１つの櫓ユニットを構成する避難ステージは、平面視で多角形に形成されていて、当該多角形の頂点で支柱に支持されている。隣接する櫓ユニットは、それぞれの避難ステージの多角形の１辺で連結されている。昇降手段は、透水性のある床材を用いたスロープからなる。このスロープは、両側に安全柵が設けられていて、地面から最上階の避難ステージに至るまで、連結された複数の櫓ユニットの外周を取り囲むように、支柱の外側に所定の勾配で螺旋状に設けられる。
【０００９】
このようにすると、櫓ユニットは、避難ステージの多角形の１辺で連結することにより、任意の方向へ増設してゆくことができる。このため、土地の面積や形状に制限がある場合でも、櫓ユニットを自由に組み合わせることで、その土地に応じた津波避難用建造物を容易に構築することができ、施工の自由度が拡大する。また、避難対象の人数が多い場合でも、人数に応じた数の櫓ユニットを連結することによって、広い避難スペースを確保することができる。
【００１０】
また、スロープは、連結された複数の櫓ユニットの外周を取り囲むように設けられるので、単一の櫓ユニットの周囲にスロープを設けた場合のように、避難者は、櫓ユニットの周りを何回も繰り返して周回する必要がなく、少ない周回回数で最上階の避難ステージに到達することができる。さらに、スロープの床材は、水を透過させるので、津波襲来時に波に対する抵抗が小さくなり、津波によって流されるリスクも少なくなる。
【００１１】
本発明において、避難ステージの床材とスロープの床材は、それぞれ格子状のグレーチング材から形成されているのが好ましい。
【００１２】
本発明において、スロープの勾配は、１／８以上で１／１２以下の値であるのが好ましい。
【００１３】
本発明において、昇降手段として、スロープに加えて、当該スロープよりも勾配が急な階段を支柱の内側に設けてもよい。
【００１４】
本発明において、スロープは、最上階の避難ステージへ至るまでに、少なくとも一箇所で階段の踊り場とつながっていて、スロープから階段へ進入できるようになっていることが好ましい。
【００１５】
本発明において、避難ステージは、平面視で、対向する２辺が他の辺よりも短い舟形の６角形に形成されているのが好ましい。また、避難ステージは、平面視で、対向する２辺が他の辺よりも短い舟形の８角形に形成されていてもよい。
【００１６】
この場合、避難ステージは、対向する短い２辺が津波の襲来方向と直交するように、支柱に支持されているのが好ましい。
【発明の効果】
【００１７】
本発明によれば、土地の面積や形状に制限がある場合でも、その土地に見合った津波避難用建造物を、広い避難スペースを確保しつつ容易に構築することが可能となる。
【図面の簡単な説明】
【００１８】
【図１】第１実施形態に係る津波避難用建造物の平面図と正面図である。
【図２】第２実施形態に係る津波避難用建造物の平面図と正面図である。
【図３】第３実施形態に係る津波避難用建造物の平面図と正面図である。
【図４】第４実施形態に係る津波避難用建造物の平面図と正面図である。
【図５】津波避難用建造物の設置例を示す模式図である。
【図６】他の実施形態に係る櫓ユニットの模式図である。
【図７】他の実施形態に係る櫓ユニットの模式図である。
【発明を実施するための形態】
【００１９】
以下、本発明の実施形態につき、図面を参照しながら説明する。各図において、同一の部分または対応する部分には、同一の符号を付してある。
【００２０】
図１は、第１実施形態を示しており、櫓ユニットを２基連結した例である。図１において（ａ）は平面図、（ｂ）は正面図を表している。津波避難用建造物１は、地面Ｇに立設された複数本の支柱Ｐ１〜Ｐ１０と、これらの支柱の上部に支持された避難ステージ１２、２２と、地面Ｇと避難ステージ１２、２２との間を結ぶ昇降手段としてのスロープ１３、２３および階段１５、２５を備えている。
【００２１】
図１（ａ）に示すように、支柱Ｐ１〜Ｐ３、Ｐ８〜Ｐ１０と避難ステージ１２によって櫓ユニット１００が構成され、支柱Ｐ３〜Ｐ８と避難ステージ２２によって櫓ユニット２００が構成される。
【００２２】
櫓ユニット１００を構成する避難ステージ１２は、平面視で、対向する２辺が他の辺よりも短い舟形の６角形に形成されており、この６角形の頂点で支柱Ｐ１〜Ｐ３およびＰ８〜Ｐ１０に支持されている。櫓ユニット２００を構成する避難ステージ２２も、平面視で舟形の６角形に形成されており、この６角形の頂点で支柱Ｐ３〜Ｐ８に支持されている。そして、隣接するこれらの櫓ユニット１００、２００は、それぞれの避難ステージ１２、２２の６角形の１辺（破線で示す）で連結されている。
【００２３】
支柱Ｐ１〜Ｐ１０は鉄骨材からなり、例えば、岩盤までの杭基礎により地盤に固定される。鉄骨材には、海風等による塩害（腐食）に対処できる仕上加工が施されている。各支柱Ｐ１〜Ｐ１０は、水平方向に架設される梁Ｆ（図１（ｂ））によって連結されている。
【００２４】
図１（ｂ）に示すように、津波避難用建造物１は、１階〜５階に区分けされている。最上階の５階には、避難ステージ１２、２２が備わっている。各避難ステージ１２、２２には、それぞれ５０名程度の避難者Ｙを収容できるスペースが確保されている。避難ステージ１２、２２を構成する床材は、透水性のある格子状のグレーチング（Grating）材から形成されている。グレーチング材は、たとえば鉄からなる。また、避難ステージ１２、２２の周囲には、安全柵Ｍが設けられている。２階〜４階の中間階については、避難ステージ１２、２２が設けられておらず、吹き抜け構造となっている。
【００２５】
スロープ１３、２３は、両側に安全柵１４、２４が設けられており、地面Ｇから最上階（５階）の避難ステージ１２、２２に至るまで、連結された櫓ユニット１００、２００の外周を取り囲むように、支柱Ｐ１〜Ｐ１０の外側に、緩やかな勾配で左廻りに螺旋状に設けられている。これらのスロープ１３、２３の床材も、透水性のある格子状のグレーチング材から形成されている。グレーチング材は、たとえばＦＲＰ（Fiber Reinforced Plastics：繊維強化プラスチック）からなる。
【００２６】
なお、スロープ１３、２３の勾配が急であると、最上階の避難ステージ１２、２２まで短時間で到達できるが、体力のない者や身体障害者等には負担が重くなる。一方、勾配があまり緩やかだと、避難者の負担は軽くなるが、最上階の避難ステージ１２、２２に到達するまでに時間がかかり、迅速な避難に支障が生じる場合がある。そこで、スロープ１３、２３の勾配は、１／８以上で１／１２以下の値が好ましく、１／１０が最も好ましい（後述する各実施形態のスロープについても同様）。
【００２７】
階段１５、２５は、支柱Ｐ１〜Ｐ１０の内側に設けられている。階段１５は、櫓ユニット１００の一端側に設けられていて、スロープ１３、２３よりも勾配が急となっている。階段２５は、櫓ユニット２００の一端側（階段１５と反対側）に設けられていて、スロープ１３、２３よりも勾配が急となっている。これらの階段１５、２５の床材も、透水性のある格子状のグレーチング材から形成されている。グレーチング材は、たとえば鉄からなる。また、階段１５、２５の両側には、安全柵（符号省略）が設けられている。
【００２８】
このように、昇降手段としてスロープ１３、２３と階段１５、２５とを併設しているので、体力のない者や身体障害者等は、スロープ１３、２３を利用することで、無理なく最上階の避難ステージ１２、２２へ向かうことができる。一方、体力のある者は、階段１５、２５を利用することで、短時間で最上階の避難ステージ１２、２２へ向かうことができる。これにより、避難者は、自分に適した避難経路を選択することができる。
【００２９】
また、スロープ１３、２３は、最上階の避難ステージ１２、２２へ至るまでに、少なくとも一箇所で階段１５、２５の踊り場とつながっている。この箇所には安全柵１４、２４がないので、スロープ１３、２３からそのまま階段１５、２５へ進入することができる（後述の各実施形態においても同様）。このため、勾配が緩やかなスロープ１３、２３を通って避難している者が、早く最上階の避難ステージ１２、２２へ辿り着きたい場合は、途中の踊り場で、勾配が急な階段１５、２５へ移ることができる。また逆に、勾配が急な階段１５、２５を通って避難している者が、負担を軽減したい場合は、途中の踊り場で、勾配が緩やかなスロープ１３、２３へ移ることができる。このようにして、避難経路をスロープから階段に、あるいは階段からスロープに、途中で切り替えることができる。
【００３０】
また、スロープ１３、２３を利用する場合、図１（ｂ）の１階のスロープ入口Ａ１から５階のスロープ出口Ａ２まで、２周足らずで最上階へ到達することができる。櫓ユニットが１基の場合は、同じ勾配でも、最上階へ行くまで櫓ユニットの周りを何回も繰り返して周回しなければならず、これは避難者にとってストレスとなる。しかるに、本実施形態では、スロープ１３、２３が２つの櫓ユニット１００、２００の外周を取り囲むように設けられているので、最上階へ行くまでに周回する回数が少なくて済み、避難者のストレスが軽減される。
【００３１】
また、図１（ａ）において、左手に海岸があって津波が左方向から襲来するとした場合、避難ステージ１２、２２は、舟形の６角形の対向する短い２辺が津波の襲来方向と直交するように、支柱Ｐ１〜Ｐ１０に支持されている。したがって、避難ステージ１２、２２は、津波の襲来方向に対して傾斜した辺を有している。このため、津波の襲来時に、傾斜した辺に沿って津波を逃がすことができるので、避難ステージ１２、２２に加わる津波の力が緩和され、避難ステージ１２、２２が津波で流されるのを防止することができる。
【００３２】
さらに、避難ステージ１２、２２の床材と、スロープ１３、２３の床材と、階段１５、２５の床材が、いずれも透水性のある格子状のグレーチング材から形成されているので、津波避難用建造物１は、全体としても透水性を有している。このため、津波襲来時の波に対する抵抗が非常に小さくなり、これによって、建造物全体が津波で流されてしまうリスクを低減することができる。
【００３３】
図２は、第２実施形態を示しており、櫓ユニットを３基連結した例である。図２において（ａ）は平面図、（ｂ）は正面図を表している。津波避難用建造物２は、地面Ｇに立設された複数本の支柱Ｐ１〜Ｐ１３と、これらの支柱の上部に支持された避難ステージ１２、２２、３２と、地面Ｇと避難ステージ１２、２２、３２との間を結ぶ昇降手段としてのスロープ１３、２３、３３および階段１５、２５を備えている。
【００３４】
図２（ａ）に示すように、支柱Ｐ１〜Ｐ３、Ｐ８〜Ｐ１０と避難ステージ１２によって櫓ユニット１００が構成され、支柱Ｐ３〜Ｐ８と避難ステージ２２によって櫓ユニット２００が構成され、支柱Ｐ７〜Ｐ９、Ｐ１１〜Ｐ１３と避難ステージ３２によって櫓ユニット３００が構成される。
【００３５】
櫓ユニット１００を構成する避難ステージ１２は、平面視で舟形の６角形に形成されており、この６角形の頂点で支柱Ｐ１〜Ｐ３、Ｐ８〜Ｐ１０に支持されている。櫓ユニット２００を構成する避難ステージ２２も、平面視で舟形の６角形に形成されており、この６角形の頂点で支柱Ｐ３〜Ｐ８に支持されている。櫓ユニット３００を構成する避難ステージ３２も、平面視で舟形の６角形に形成されており、この６角形の頂点で支柱Ｐ７〜Ｐ９、Ｐ１１〜Ｐ１３に支持されている。そして、隣接する櫓ユニット１００および２００、隣接する櫓ユニット１００および３００、隣接する櫓ユニット２００および３００は、それぞれの避難ステージ１２、２２、３２の６角形の１辺（破線で示す）で連結されている。
【００３６】
支柱Ｐ１〜Ｐ１３は鉄骨材からなり、例えば、岩盤までの杭基礎により地盤に固定される。鉄骨材には、海風等による塩害（腐食）に対処できる仕上加工が施されている。各支柱Ｐ１〜Ｐ１３は、水平方向に架設される梁Ｆ（図２（ｂ））によって連結されている。
【００３７】
図２（ｂ）に示すように、津波避難用建造物２は、１階〜５階に区分けされている。最上階の５階には、避難ステージ１２、２２、３２が備わっている。各避難ステージ１２、２２、３２には、それぞれ５０名程度の避難者Ｙを収容できるスペースが確保されている。避難ステージ１２、２２、３２を構成する床材は、透水性のある格子状のグレーチング材から形成されている。グレーチング材は、たとえば鉄からなる。また、避難ステージ１２、２２、３２の周囲には、安全柵Ｍが設けられている。２階〜４階の中間階については、避難ステージ１２、２２、３２が設けられておらず、吹き抜け構造となっている。
【００３８】
スロープ１３、２３、３３は、両側に安全柵１４、２４、３４が設けられており、地面Ｇから最上階（５階）の避難ステージ１２、２２、３３に至るまで、連結された櫓ユニット１００、２００、３００の外周を取り囲むように、支柱Ｐ１〜Ｐ１３の外側に、緩やかな勾配で左廻りに螺旋状に設けられている。これらのスロープ１３、２３、３３の床材も、透水性のある格子状のグレーチング材から形成されている。グレーチング材は、たとえばＦＲＰからなる。
【００３９】
階段１５、２５は、支柱Ｐ１〜Ｐ１３の内側に設けられている。階段１５は、櫓ユニット１００の一端側に設けられていて、スロープ１３、２３、３３よりも勾配が急となっている。階段２５は、櫓ユニット２００の一端側（階段１５と反対側）に設けられていて、スロープ１３、２３、３３よりも勾配が急となっている。これらの階段１５、２５の床材も、透水性のある格子状のグレーチング材から形成されている。グレーチング材は、たとえば鉄からなる。また、階段１５、２５の両側には、安全柵（符号省略）が設けられている。
【００４０】
第２実施形態の場合も、第１実施形態と同様に、避難者は、自分に適した避難経路（スロープまたは階段）を選択して最上階へ行くことができ、櫓ユニット１００、２００、３００の周りを周回する回数も少なくて済む。また、津波の襲来時に、舟形の６角形の避難ステージ１２、２２、３２の傾斜辺に沿って津波を逃がすことができ、避難ステージが津波で流されるのを防止することができる。さらに、津波避難用建造物２は、全体としても透水性を有しているため、津波襲来時の波に対する抵抗が非常に小さくなり、建造物全体が津波で流されてしまうリスクを低減することができる。
【００４１】
図３は、第３実施形態を示している。この津波避難用建造物３は、櫓ユニットを３基連結した図２の変形例である。図３において（ａ）は平面図、（ｂ）は正面図を表している。図３（ａ）では、図の上方向から津波が襲来すると想定されている。このため、避難ステージ１２、２２、３２の向きが、図２の場合と９０°異なっている。また、図２の支柱Ｐ１〜Ｐ１３が、支柱Ｐ１〜Ｐ１１、Ｐ３’、Ｐ８’、Ｐ９’に置き換わっている。その他については、図２と基本的に同じであるので、詳細な説明は省略する。
【００４２】
図４は、第４実施形態を示しており、櫓ユニットを４基連結した例である。図４において（ａ）は平面図、（ｂ）は正面図を表している。津波避難用建造物４は、地面Ｇに立設された複数本の支柱Ｐ１〜Ｐ１８と、これらの支柱の上部に支持された避難ステージ１２、２２、３２、４２と、地面Ｇと避難ステージ１２、２２、３２、４２との間を結ぶ昇降手段としてのスロープ１３、２３、３３、４３および階段１５、２５、４５を備えている。
【００４３】
図４（ａ）に示すように、支柱Ｐ１〜Ｐ３、Ｐ８〜Ｐ１０と避難ステージ１２によって櫓ユニット１００が構成され、支柱Ｐ４〜Ｐ６、Ｐ１１、Ｐ１２、Ｐ１８と避難ステージ２２によって櫓ユニット２００が構成され、支柱Ｐ７〜Ｐ９、Ｐ１１〜Ｐ１３と避難ステージ３２によって櫓ユニット３００が構成され、支柱Ｐ７、Ｐ１３〜Ｐ１７と避難ステージ４２によって櫓ユニット４００が構成される。
【００４４】
櫓ユニット１００を構成する避難ステージ１２は、平面視で舟形の６角形に形成されており、この６角形の頂点で支柱Ｐ１〜Ｐ３、Ｐ８〜Ｐ１０に支持されている。櫓ユニット２００を構成する避難ステージ２２も、平面視で舟形の６角形に形成されており、この６角形の頂点で支柱Ｐ４〜Ｐ６、Ｐ１１、Ｐ１２、Ｐ１８に支持されている。櫓ユニット３００を構成する避難ステージ３２も、平面視で舟形の６角形に形成されており、この６角形の頂点で支柱Ｐ７〜Ｐ９、Ｐ１１〜Ｐ１３に支持されている。櫓ユニット４００を構成する避難ステージ４２も、平面視で舟形の６角形に形成されており、この６角形の頂点で支柱Ｐ７、Ｐ１３〜Ｐ１７に支持されている。そして、隣接する櫓ユニット１００および３００、隣接する櫓ユニット２００および３００、隣接する櫓ユニット３００および４００は、それぞれの避難ステージ１２、２２、３２、４２の６角形の１辺（破線で示す）で連結されている。
【００４５】
支柱Ｐ１〜Ｐ１８は鉄骨材からなり、例えば、岩盤までの杭基礎により地盤に固定される。鉄骨材には、海風等による塩害（腐食）に対処できる仕上加工が施されている。各支柱Ｐ１〜Ｐ１８は、水平方向に架設される梁Ｆ（図４（ｂ））によって連結されている。
【００４６】
図４（ｂ）に示すように、津波避難用建造物４は、１階〜５階に区分けされている。最上階の５階には、避難ステージ１２、２２、３２、４２が備わっている。各避難ステージ１２、２２、３２、４２には、それぞれ５０名程度の避難者Ｙを収容できるスペースが確保されている。避難ステージ１２、２２、３２、４２を構成する床材は、透水性のある格子状のグレーチング材から形成されている。グレーチング材は、たとえば鉄からなる。また、避難ステージ１２、２２、３２、４２の周囲には、安全柵Ｍが設けられている。２階〜４階の中間階については、避難ステージ１２、２２、３２、４２が設けられておらず、吹き抜け構造となっている。
【００４７】
スロープ１３、２３、３３、４３は、両側に安全柵１４、２４、３４、４４が設けられており、地面Ｇから最上階（５階）の避難ステージ１２、２２、３３、４３に至るまで、連結された櫓ユニット１００、２００、３００、４００の外周を取り囲むように、支柱Ｐ１〜Ｐ１８の外側に、緩やかな勾配で左廻りに螺旋状に設けられている。これらのスロープ１３、２３、３３、４３の床材も、透水性のある格子状のグレーチング材から形成されている。グレーチング材は、たとえばＦＲＰからなる。
【００４８】
階段１５、２５、４５は、支柱Ｐ１〜Ｐ１８の内側に設けられている。階段１５は、櫓ユニット１００の一端側に設けられていて、スロープ１３、２３、３３、４３よりも勾配が急となっている。階段２５は、櫓ユニット２００の一端側に設けられていて、スロープ１３、２３、３３、４３よりも勾配が急となっている。階段４５は、櫓ユニット４００の一端側（階段１５、２５と反対側）に設けられていて、スロープ１３、２３、３３、４３よりも勾配が急となっている。これらの階段１５、２５、４５の床材も、透水性のある格子状のグレーチング材から形成されている。グレーチング材は、たとえば鉄からなる。また、階段１５、２５、４５の両側には、安全柵（符号省略）が設けられている。
【００４９】
第４実施形態の場合も、第１実施形態と同様に、避難者は、自分に適した避難経路（スロープまたは階段）を選択して最上階へ行くことができ、櫓ユニット１００、２００、３００、４００の周りを周回する回数も少なくて済む。また、津波の襲来時に、舟形の６角形の避難ステージ１２、２２、３２、４２の傾斜辺に沿って津波を逃がすことができ、避難ステージが津波で流されるのを防止することができる。さらに、津波避難用建造物４は、全体としても透水性を有しているため、津波襲来時の波に対する抵抗が非常に小さくなり、建造物全体が津波で流されてしまうリスクを低減することができる。
【００５０】
以上述べた第１実施形態ないし第４実施形態の津波避難用建造物１〜４によれば、隣接する櫓ユニットを、避難ステージの６角形の１辺で連結することにより、任意の方向へ増設してゆくことができる。このため、たとえば図５に示すように、津波避難用建造物が設置される土地の周囲に、建物や田畑や公園やグランドなどがあって、敷地の形状が一点鎖線Ｚのように制限される場合でも、櫓ユニット１００、２００、３００を図のように組み合わせることで、この敷地を最大限利用して津波避難用建造物を構築することができる。
【００５１】
このようにして、本発明によれば、土地の面積や形状に制限がある場合でも、櫓ユニットを自由に組み合わせることで、その土地に応じた津波避難用建造物を容易に構築することができ、施工の自由度が拡大する。また、避難対象の人数が多い場合でも、人数に応じた数の櫓ユニットを連結することによって、広い避難スペースを確保することができる。図６（ａ）〜（ｃ）は、櫓ユニット１００〜５００の他の連結例を示している（スロープの図示は省略）。
【００５２】
本発明は、上述した実施形態のみに限定されるものではなく、他にも種々の実施形態を採用することができる。例えば、前記の各実施形態では、最上階を５階としたが、最上階は６階以上または５階未満であってもよい。最上階の避難ステージの床高さは、状況に応じて任意の高さに設定することができる。また、避難ステージの床面積も、避難対象者の人数に応じて、任意の面積とすることができる。
【００５３】
また、前記の各実施形態では、避難ステージの平面形状を舟形の６角形としたが、避難ステージの平面形状は、図７（ａ）に示すような舟形の８角形であってもよい。図７（ｂ）〜（ｄ）は、８角形の避難ステージを用いた櫓ユニット１００〜４００の連結例を示している（スロープの図示は省略）。さらに、避難ステージの平面形状は、６角形や８角形以外の多角形でもよい。
【００５４】
また、前記の各実施形態では、避難ステージや階段の床材を鉄からなるグレーチング材で形成し、スロープの床材をＦＲＰからなるグレーチング材で形成する例を挙げたが、避難ステージや階段の床材をＦＲＰからなるグレーチング材で形成してもよく、スロープの床材を鉄からなるグレーチング材で形成してもよい。また、グレーチング材の材質は、鉄やＦＲＰ以外の材質であってもよい。さらに、避難ステージやスロープ等の床材に透水性を持たせるためには、グレーチング材に限らず、多数の透孔が形成された床板を用いてもよい。
【００５５】
また、前記の各実施形態では、中間階（２〜４階）が避難ステージのない吹き抜け構造となっているが、必要により中間階の全部または一部に避難ステージや安全柵を設けて、スロープや階段が、最上階および中間階のそれぞれの避難ステージとつながるようにしてもよい。
【００５６】
また、最上階の避難ステージの避難スペースに、複数人がつかまることのできるバーを設置してもよい。さらに、このバーに、避難者の身体を繋ぎ留めるためのベルト、ロープ、チェーン、浮輪などの繋留手段を付設してもよい。
【符号の説明】
【００５７】
１、２、３、４  津波避難用建造物
１２、２２、３２、４２  避難ステージ
１３、２３、３３、４３  スロープ
１５、２５、４５  階段
１００、２００、３００、４００  櫓ユニット
Ｇ  地面
Ｐ１〜Ｐ１８、Ｐ３’、Ｐ８’、Ｐ９’  支柱
【図１】
2014227801.tif 000003
【図２】
2014227801.tif 000004
【図３】
2014227801.tif 000005
【図４】
2014227801.tif 000006
【図５】
2014227801.tif 000007
【図６】
2014227801.tif 000008
【図７】
2014227801.tif 000009
【手続補正書】
【提出日】平成26年7月11日(2014.7.11)
【手続補正１】
【補正対象書類名】特許請求の範囲
【補正対象項目名】請求項３
【補正方法】変更
【補正の内容】
【請求項３】
請求項１または請求項２に記載の津波避難用建造物において、
前記スロープの勾配は、１／８以下で１／１２以上の値である、ことを特徴とする津波避難用建造物。
【手続補正２】
【補正対象書類名】明細書
【補正対象項目名】００１２
【補正方法】変更
【補正の内容】
【００１２】
本発明において、スロープの勾配は、１／８以下で１／１２以上の値であるのが好ましい。
【手続補正３】
【補正対象書類名】明細書
【補正対象項目名】００２６
【補正方法】変更
【補正の内容】
【００２６】
なお、スロープ１３、２３の勾配が急であると、最上階の避難ステージ１２、２２まで短時間で到達できるが、体力のない者や身体障害者等には負担が重くなる。一方、勾配があまり緩やかだと、避難者の負担は軽くなるが、最上階の避難ステージ１２、２２に到達するまでに時間がかかり、迅速な避難に支障が生じる場合がある。そこで、スロープ１３、２３の勾配は、１／８以下で１／１２以上の値が好ましく、１／１０が最も好ましい（後述する各実施形態のスロープについても同様）。